(57)【要約】【課題】顧客のコンピュータ機器の保守作業等において、外部媒体紛失等による情報漏洩の危険を排除するアダプタ付情報処理装置を提供する。【解決手段】アダプタ付情報処理装置は情報処理装置３と、外部媒体型アダプタ１を有するインターフェース変換装置２とを備え、外部媒体型アダプタ１において、暗号化部１６を有することにより暗号化処理したデータを送信でき、またバッファ１４内のデータを送信した後に消去することにより、情報漏洩の防止を図る。【選択図】図１
2007264711.tif 000002
【特許請求の範囲】
【請求項１】
情報処理装置と、情報処理装置と有線又は無線で接続し外部媒体デバイスに挿入する外部媒体型アダプタを有するインターフェース変換装置を備えるアダプタ付情報処理装置において、
前記情報処理装置は、前記インターフェース変換装置からのデータの送受信を行うファイル送受信機能と、前記情報処理装置によりファイルを管理するファイル管理機能と、暗号化したデータを保存する暗号化記憶装置と、前記情報処理装置の操作者からの指示を受け付け前記情報処理装置側の機能に指示を発行する装置管理機能を備え、
前記外部媒体型アダプタは、前記外部媒体デバイスからのデータの読み込み又は書込み命令を受け付けるインターフェース変換部と、データを一時記憶するバッファと、該バッファへのアクセスを制御するバッファ制御部と、データを暗号化する暗号化部と、前記情報処理装置からのデータの送受信を行うファイル送受信部と、前記装置管理機能とインターフェースをもち前記外部媒体型アダプタ側の機能を制御するアダプタ制御部を備え、前記バッファ内のデータを前記情報処理装置又は前記外部媒体デバイスに送信した後、前記バッファ内に残存するデータを消去することを特徴とするアダプタ付情報処理装置。
【請求項２】
請求項１に記載のアダプタ付情報処理装置において、前記ファイル管理機能には前記暗号化記憶装置に保存されているデータについてのデータの送信先又は送信元である前記外部媒体デバイスの情報又は前記外部媒体デバイスを有する機器の情報を伴ったデータベースを構築する機能を有することを特徴とするアダプタ付情報処理装置。
【請求項３】
請求項１又は請求項２に記載のアダプタ付情報処理装置において、前記ファイル管理機能には、一定期間経過した前記暗号化記憶装置内にあるデータを消去する機能を備えることを特徴とするアダプタ付情報処理装置。
【請求項４】
請求項１から請求項３のいずれかに記載のアダプタ付情報処理装置において、前記ファイル管理機能には、前記暗号化記憶装置内にあるデータを前記外部媒体型アダプタへ送信した後、前記暗号化記憶装置内に残存するデータで送信したデータと同じデータを消去する機能を備えることを特徴とするアダプタ付情報処理装置。
【発明の詳細な説明】
【技術分野】
【０００１】
本発明はアダプタ付情報処理装置に関し、特にフロッピーディスク（登録商標、以下同様）やＤＡＴ（Ｄｉｇｉｔａｌ  Ａｕｄｉｏ  Ｔａｐｅ）等の外部媒体を挿入する外部媒体デバイスに挿入可能で、パソコン等のコンピュータ機器と上記外部媒体デバイス間において、インターフェース変換装置を介してデータの送受信が可能なアダプタ付情報処理装置に関する。
【背景技術】
【０００２】
顧客のコンピュータ等の機器（顧客機器）のシステムの保守作業等を行う場合、他にファイルデータのやり取りをする手段がない場合等において、顧客機器の設定情報やログ等の情報は一旦、フロッピーディスクやＤＡＴ等の外部媒体に格納してデータの取り出し等を行うことが必要な場合があった。そのとき使用した外部媒体は、内部にデータが残っており、持ち出し可能であるから紛失等により情報漏洩の恐れがある。そして、紛失による情報漏洩防止の手段として、暗号化処理を行う手段があるが、すべての外部媒体について暗号化処理をする必要があった。
【０００３】
また、特許文献１には、フロッピーディスクドライブに、フロッピーディスク型アダプタを挿入しメモリカードドライブにケーブルを通じ接続し、フロッピーディスクドライブとメモリカード間において、データを書き込み又は読み出しできる発明が公開されている。
【特許文献１】特開平６−１６２７４７号公報
【発明の開示】
【発明が解決しようとする課題】
【０００４】
外部媒体が暗号化等のセキュリティ対策を施していない場合は存在する。さらに顧客機器が暗号化機能を持たない場合はセキュリティ対策を施せない場合もある。これらの場合、外部媒体にデータが残っていれば、当該外部媒体の紛失等による情報漏洩の危険がある。また、特許文献１の発明においては、情報漏洩防止を目的としたフロッピーディスク型アダプタではなく、メモリカードの読み書きをメモリカードドライブを接続するインターフェースボード等がなくてもできることを目的としており、メモリカードの紛失による情報の漏洩や、バッファ内に残った情報の漏洩などの危険がある。
【０００５】
本発明の目的は、顧客機器の保守作業等において、外部媒体紛失による情報漏洩の危険を排除するアダプタ付情報処理装置を提供することにある。
【課題を解決するための手段】
【０００６】
上記目的を達成するため、本発明のアダプタ付情報処理装置は、情報処理装置と、情報処理装置と有線又は無線で接続し外部媒体デバイスに挿入する外部媒体型アダプタを有するインターフェース変換装置を備えるアダプタ付情報処理装置において、前記情報処理装置は、前記インターフェース変換装置からのデータの送受信を行うファイル送受信機能と、前記情報処理装置によりファイルを管理するファイル管理機能と、暗号化したデータを保存する暗号化記憶装置と、前記情報処理装置の操作者からの指示を受け付け前記情報処理装置側の機能に指示を発行する装置管理機能を備え、前記外部媒体型アダプタは、前記外部媒体デバイスからのデータの読み込み又は書込み命令を受け付けるインターフェース変換部と、データを一時記憶するバッファと、該バッファへのアクセスを制御するバッファ制御部と、データを暗号化する暗号化部と、前記情報処理装置からのデータの送受信を行うファイル送受信部と、前記装置管理機能とインターフェースをもち前記外部媒体型アダプタ側の機能を制御するアダプタ制御部を備え、前記バッファ内のデータを前記情報処理装置又は前記外部媒体デバイスに送信した後、前記バッファ内に残存するデータを消去することを特徴とする。
【０００７】
本発明のアダプタ付情報処理装置は、前記ファイル管理機能には前記暗号化記憶装置に保存されているデータについてのデータの送信先又は送信元である前記外部媒体デバイスの情報又は前記外部媒体デバイスを有する機器の情報を伴ったデータベースを構築する機能を有することを特徴とする。
【０００８】
本発明のアダプタ付情報処理装置は、前記ファイル管理機能には、一定期間経過した前記暗号化記憶装置内にあるデータを消去する機能を備えることを特徴とする。
【０００９】
本発明のアダプタ付情報処理装置は、前記ファイル管理機能には、前記暗号化記憶装置内にあるデータを前記外部媒体型アダプタへ送信した後、前記暗号化記憶装置内に残存するデータで送信したデータと同じデータを消去する機能を備えることを特徴とする。
【発明の効果】
【００１０】
本発明により、外部媒体型アダプタ内においてデータの暗号化を行い、さらにバッファに保存したデータは送信終了後消去される。そのため、インターフェース変換装置での通信時における情報の漏洩を防止し、さらにバッファに残ったデータをデータ送信後には取得されることがなくなる。すなわち、顧客機器を保守管理等により外部媒体デバイスを通じてデータのやり取りを安全に行え、外部媒体の紛失等による情報漏洩の危険が排除される。さらに、複数の外部媒体によるデータ管理を必要とせず、情報処理装置によりデータを一元的に管理することが可能となる。
【発明を実施するための最良の形態】
【００１１】
本発明の実施例を図１〜３によって説明する。図１は、本実施例のシステム構成図である。図２は外部媒体デバイスを有する顧客機器にファイルを送信する場合のフローチャートであり、図３は外部媒体デバイスを有する顧客機器からファイルを受信する場合のフローチャートである。
【００１２】
図１において、本実施例のシステムは、操作者によって保守現場へ持っていくＰＣ（パーソナルコンピュータ）３と、顧客機器６の外部媒体デバイス４に挿入できる外部媒体型アダプタ１を有するインターフェース変換装置２から成る。インターフェース変換装置２は、有線又は無線によりデータのやり取りをできる。インターフェースの接続方式はＴＣＰ／ＩＰなどのネットワークインターフェースによるものである。
【００１３】
外部媒体型アダプタ１は、外部媒体デバイスからのデータの読み込み又は書込み命令を受け付けるインターフェース変換部１１と、データを一時記憶するバッファ１４と、該バッファへのアクセスを制御するバッファ制御部１２と、データを暗号化する暗号化部１６と、ＰＣ３からのファイルの送受信を行うファイル送受信部１３と、前記装置管理機能３４とインターフェースをもち外部媒体型アダプタ側の機能を制御するアダプタ制御部１５を備える。また、電源１７として例えば電池を備える。
【００１４】
ＰＣ３には、インターフェース変換装置２からのファイルの送受信を行うファイル送受信部３１と、ＰＣ３によりファイルを管理するファイル管理機能３２と、暗号化したデータを保存する記憶装置３３と、操作者からの指示を受け付けＰＣ３側の機能に指示を発行する装置管理機能３４を備える。上記指示の例として、外部媒体型アダプタ１に対するファイルの送信又は受信の指示、バッファ１４内の情報取得指示などが上げられる。また、これらの機能は上記機能を持たせるためのソフトウェアを組み込むことにより、パーソナルコンピュータ内に予め備えている装置により実現可能である。
【００１５】
ファイル管理機能３２には、暗号化記憶装置３３内に保存されているデータについてのデータベースを管理する管理データベース３５を有する。このデータベースには、データを外部媒体デバイス４に送信する場合、送信先である外部媒体デバイス４に関する情報や当該外部媒体デバイスを有する顧客機器６に関する情報を伴う。さらに、データを外部媒体デバイスから受信したデータについては、データの送信元である外部媒体デバイス４に関する情報や該外部媒体デバイスを有する顧客機器６に関する情報を伴っている。外部媒体デバイス４に関する情報としては、例えば外部媒体デバイスに対応する外部媒体の種類の情報等が上げられる。また外部媒体デバイスを有する顧客機器６に関する情報としては、顧客機器内のデータの送信先又は送信元に関するフォルダパスの情報や顧客機器の型式名、顧客機器の使用者名等が挙げられる。加えて、このデータベースには、最終アクセス日時等の情報を伴うことが可能である。そしてこのデータベースは、ＰＣ３を操作することにより情報の追加や削除等のデータ管理をすることが可能である。
【００１６】
図１及び図２を用いて、ＰＣ３から顧客機器６の外部媒体型デバイス４へファイルデータを送信する場合のデータの流れについて説明する。ＰＣ３から顧客機器６の外部媒体デバイス４へデータを送信する例として、事前にＰＣ３に設定ファイルを作成しておき、顧客機器６に新たな設定ファイルの適用をする場合等が上げられる。
【００１７】
まず、外部媒体と同様の形状をもつ外部媒体型アダプタ１を顧客機器６の外部媒体デバイス４に挿入し接続する。ここで外部媒体デバイス４に挿入する外部媒体アダプタの例として、フロッピーディスクやＤＡＴなどが上げられる。
【００１８】
そして、ＰＣ３を操作し暗号化記憶装置３３内のフォルダパス指定することにより外部媒体型アダプタ１へのマッピングを行う（Ｓ２２）。次に、マップしたフォルダ下のファイルを外部媒体アダプタに送信する操作をＰＣ３で行う（Ｓ２３）。これにより、暗号化記憶装置３３のマップしたフォルダ下のファイルデータがファイル受信機能３１から、ファイル送受信部１３に送信され、さらに、バッファ制御部１２を通じバッファ１４に送られ、一時的に保存される。
【００１９】
次に、顧客機器６を操作し、顧客機器６の外部媒体デバイスの外部媒体からデータを取得する操作を行う。これにより、外部媒体デバイス４からの読込み命令に従いバッファ内に保存されたデータは、インターフェース変換部１１を通じ外部媒体デバイス４へ出力される（Ｓ２５）。ここで顧客機器６の操作を終了する（Ｓ２６）。このとき、データを外部媒体デバイスに送信した後、一時バッファ内のデータは消去される（Ｓ２７）。
【００２０】
図１と図３を用いて顧客機器６の外部媒体デバイス４からＰＣ３へファイルデータを取得する場合のデータの流れについて説明する。顧客機器６の外部媒体デバイス４からＰＣ３へデータを取得する例として、顧客機器６のログ情報を収集する場合等が上げられる。
【００２１】
まず、外部媒体と同様の形状をもつ外部媒体型アダプタ１を顧客機器６の外部媒体デバイス４に挿入し接続する。外部媒体デバイス４に挿入する外部媒体アダプタの例として、フロッピーディスクやＤＡＴなどが上げられる。
【００２２】
そして、ＰＣ３側を操作し暗号化記憶装置３３内のファイルデータのフォルダパス指定し外部媒体型アダプタ１へのマッピングを行う（Ｓ３２）。さらに、顧客機器６を操作し、ファイルを外部媒体デバイスを通じ外部媒体へ送信する操作を行う（Ｓ３３）。すると、データは外部媒体デバイス４からインターフェース変換部１１に送信され、バッファ制御部１２を通じバッファ１４へ出力され、データが一時的に保存される（Ｓ３４）。ここで顧客機器６の操作は終了する（Ｓ３５）。
【００２３】
さらに、ＰＣ３を操作し、暗号化記憶装置３３内のデータを保存するフォルダを指定し、外部媒体型アダプタのバッファにあるデータを取得する指示を行う。すると、バッファ内にあるデータは暗号化部１６に送られ、データの暗号化がなされる。そして暗号化されたデータは、ファイル送受信部１３からＰＣ側のファイル送受信機能３１に送られ、ファイル管理機能３２を通じ暗号化記憶装置３３内の指定したフォルダへデータが保存される（Ｓ３６）。このとき、データをＰＣ３に送信した後、一時バッファ１４内のデータは消去される（Ｓ３７）。
【００２４】
本実施例は、顧客機器６のシステム等の保守作業の場合について説明したが、本発明は、顧客にかぎらず機器を使用する本人が作業する場合も含まれる。また、システム等の保守管理に限るものでなく、単に外部媒体デバイス有する機器とのデータのやり取りをする場合も本発明を適用することにより情報漏洩を防止することが可能である。
【図面の簡単な説明】
【００２５】
【図１】本発明の実施例のシステム構成図である。
【図２】顧客機器にファイルを送信する場合のフローチャートである。
【図３】顧客機器からファイルを受信する場合のフローチャートである。
【符号の説明】
【００２６】
１  外部媒体型アダプタ
２  インターフェース変換装置
３  ＰＣ
４  外部媒体デバイス
６  顧客機器
３５  管理データベース
【図１】
2007264711.tif 000003
【図２】
2007264711.tif 000004
【図３】
2007264711.tif 000005